【手続補正書】
【提出日】平成26年4月4日(2014.4.4)
【手続補正１】
【補正対象書類名】特許請求の範囲
【補正対象項目名】全文
【補正方法】変更
【補正の内容】
【特許請求の範囲】
【請求項１】
抑圧搬送波両側波帯変調中に光学波形の波形帯域幅を増加させる方法であって、
前記方法は、
帯域幅乗算器により無線周波数波形を受け取るステップと、
前記受け取った無線周波数波形の帯域幅を増加させるステップと、
前記帯域幅を増加させた無線周波数波形を光学変調器に供給するステップと、
光学搬送波変調中に前記無線周波数波形の複数の光学高調波を生成して、抑圧搬送波両側波帯型の光学波形を形成するステップと、
を含み、
側波帯は、追加の波形帯域幅を有する、方法。
【請求項２】
前記光学変調器がマッハツェンダー光学変調器を含む、請求項１に記載の方法。
【請求項３】
直流電源により前記マッハツェンダー光学変調器にバイアスをかけるステップと、
抑圧搬送波両側波帯モードにおいて前記マッハツェンダー光学変調器を動作させるステップと、
をさらに含む、請求項２に記載の方法。
【請求項４】
光学帯域通過フィルタにより、前記抑圧搬送波両側波帯型の光学波形を光学的にフィルタリングして、抑圧搬送波単側波帯型の波形を生成するステップ、
をさらに含む、請求項１に記載の方法。
【請求項５】
前記無線周波数波形の前記帯域幅は、前記光学変調器により光学搬送波の上に変調される前に、無線周波数逓倍器により１又はそれ以上の帯域幅逓倍動作を実行することにより増加させられる、請求項１に記載の方法。
【請求項６】
１又はそれ以上のディジタル波形サンプルをディジタル−アナログ変換器に供給して、前記受け取った無線周波数波形を生成するステップ、
をさらに含む、請求項１に記載の方法。
【請求項７】
前記光学帯域通過フィルタがファイバーブラッググレーティングを含む、請求項４に記載の方法。
【請求項８】
前記帯域幅を増加させた無線周波数波形が、前記光学変調器の無線周波数入力に供給される、請求項１に記載の方法。
【請求項９】
抑圧搬送波両側波帯変調中に光学波形の波形帯域幅を増加させる装置であって、
前記装置は、
無線周波数波形を受け取って、前記受け取った無線周波数波形の帯域幅を増加させるように構成された帯域幅乗算器と、
前記帯域幅を増加させた無線周波数波形を受け取るように構成された光学変調器であって、光学搬送波変調中に前記無線周波数波形の複数の光学高調波を生成して、抑圧搬送波両側波帯型の光学波形を形成するように構成された光学変調器と、
を具備し、
側波帯は、追加の波形帯域幅を有する、装置。
【請求項１０】
前記光学変調器がマッハツェンダー光学変調器を含む、請求項９に記載の装置。
【請求項１１】
前記マッハツェンダー光学変調器は、直流電源によりバイアスをかけられ、抑圧搬送波両側波帯モードにおいて動作させられ、前記無線周波数波形の複数の高調波を生成する、ように構成される、請求項１０に記載の装置。
【請求項１２】
前記抑圧搬送波両側波帯型の光学波形をフィルタリングするように構成された光学帯域通過フィルタであって、前記光学帯域通過フィルタの出力において抑圧搬送波単側波帯型の波形を生成するように構成された光学帯域通過フィルタ、
をさらに具備する、請求項９に記載の装置。
【請求項１３】
前記無線周波数波形の前記帯域幅は、光学変調器により光学搬送波の上に変調される前に、無線周波数逓倍器により１又はそれ以上の帯域幅逓倍動作を実行することにより増加させられる、請求項９に記載の装置。
【請求項１４】
前記光学変調器が、前記帯域幅を増加させた無線周波数波形を受け取るように構成された無線周波数入力を含む、請求項９に記載の装置。
【請求項１５】
前記光学帯域通過フィルタがファイバーブラッググレーティングを含む、請求項１２に記載の装置。
【請求項１６】
前記光学変調器がマッハツェンダー光学変調器を含む、請求項１３に記載の方法。
【手続補正２】
【補正対象書類名】明細書
【補正対象項目名】００４２
【補正方法】変更
【補正の内容】
【００４２】
上記開示は、様々な有用な実施形態であると現在考えられるものを説明しているが、このような詳細は専らそういった目的のためのものであるということ、及び、添付した特許請求の範囲は、本明細書で開示された実施形態に限定されるものではなく、逆に、この特許請求の範囲の思想及び範囲内にある変更及び等価な構成を含むように意図されたものである、ということを理解されたい。
以下に、本願出願時の特許請求の範囲に記載された発明を付記する。
［１］抑圧搬送波両側波帯変調の間に無線周波数波形の波形帯域幅を増加させる方法であって、
帯域幅乗算器により無線周波数波形を受け取るステップと、
前記受け取った無線周波数波形の帯域幅を増加させるステップと、
帯域幅を増加させた前記無線周波数波形を光学変調器に供給して、抑圧搬送波両側波帯変調の間に無線周波数波形のさらなる波形帯域幅を発生させるステップと、
を含むことを特徴とする方法。
［２］前記光学変調器がマッハツェンダー光学変調器を含む、前記［１］に記載の方法。
［３］直流電源により前記マッハツェンダー光学変調器にバイアスをかけられるステップと、
抑圧搬送波両側波帯モードにおいて前記マッハツェンダー光学変調器を動作させるステップと、
光学搬送波を変調する間に前記無線周波数波形の複数の高調波を生成して、抑圧搬送波両側波帯型の光学波形を形成する段階と、
をさらに含む、前記［２］に記載の方法。
［４］前記抑圧搬送波両側波帯型の光学波形を光学的にフィルタリングして、光学帯域通過フィルタにより抑圧搬送波単側波帯型の波形を生成する段階、
をさらに含む、前記［３］に記載の方法。
［５］前記無線周波数の前記帯域幅は、前記光学変調器により光学搬送波の上に変調される前に、無線周波数逓倍器により１又はそれ以上の帯域幅逓倍動作を実行することにより増加させられる、前記［１］に記載の方法。
［６］１又はそれ以上のディジタル波形サンプルをD/A変換器に供給して、前記受け取った無線周波数波形を生成する、前記［１］に記載の方法。
［７］前記光学帯域通過フィルタがファイバーブラッググレーティングを含む、前記［４］に記載の方法。
［８］前記帯域幅を増加させた無線周波数波形が、前記光学変調器の無線周波数入力に提供される、前記［１］に記載の方法。
［９］抑圧搬送波両側波帯変調の間に無線周波数波形の波形帯域幅を増加させる装置であって、
無線周波数波形を受け取るようにかつ該受け取った無線周波数波形の帯域幅を増加させるように構成された帯域幅乗算器と、
前記帯域幅を増加させた無線周波数波形を受け取るように、かつ、抑圧搬送波両側波帯変調の間に前記無線周波数波形のさらなる波形帯域幅を発生させるように構成された光学変調器と、
を具備することを特徴とする装置。
［１０］前記光学変調器がマッハツェンダー光学変調器を含む、前記［９］に記載の装置。
［１１］前記マッハツェンダー光学変調器は、直流電源によりバイアスをかけられるように、かつ、抑圧搬送波両側波帯モードにおいて動作させられ、光学搬送波を変調する間に前記無線周波数波形の複数の高調波を生成して抑圧搬送波両側波帯の光学波形を形成するように、構成される、前記［１０］に記載の装置。
［１２］前記抑圧搬送波両側波帯型の光学波形をフィルタリングするように構成された光学帯域通過フィルタであって、該フィルタの出力において抑圧搬送波単側波帯型の波形を生成するように構成された光学帯域通過フィルタ、をさらに具備する装置。
［１３］前記無線周波数波形の前記帯域幅が、光学変調器により光学搬送波の上に変調される前に、無線周波数逓倍器により１又はそれ以上の帯域幅逓倍動作を実行することにより増加させられる、前記［９］に記載の装置。
［１４］前記光学変調器が、前記帯域幅を増加させた無線周波数波形を受け取るように構成された無線周波数入力を含む、前記［９］に記載の装置。
［１５］前記光学帯域通過フィルタがファイバーブラッググレーティングを含む、前記［１２］に記載の装置。
［１６］前記光学変調器がマッハツェンダー光学変調を含む、前記［１３］に記載の方法。